(57)【特許請求の範囲】
【請求項１】
被検体に向けてＸ線を照射するＸ線管と、前記Ｘ線管から照射され前記被検体を通過したＸ線を検出するＸ線検出器と、スイッチの操作により点灯または消灯するランプを有し、前記ランプの点灯制御を行う照明制御装置と、を備えたＸ線撮影装置であって、
前記照明制御装置は、
前記スイッチからの入力を受け付ける入力受信部と、
前記スイッチからの入力回数を管理する入力回数管理部と、
前記入力回数管理部において積算された前記スイッチからの入力回数に応じて前記ランプの点灯時間が設定される点灯タイマーと、
前記入力受信部または前記点灯タイマーからの信号に基づいて前記ランプの点灯および消灯を制御する点灯制御部と、
を備えたことを特徴とするＸ線撮影装置。
【請求項２】
請求項１に記載のＸ線撮影装置において、
前記点灯タイマーに設定された点灯時間に、前記ランプの点灯中における前記スイッチの入力の１回につき一定の時間が追加されるＸ線撮影装置。
【請求項３】
請求項１に記載のＸ線撮影装置において、
前記照明制御装置は、
前記入力回数管理部における前記スイッチの入力回数を管理する管理時間が設定される入力管理タイマーをさらに備え、
前記点灯タイマーに設定された点灯時間に、前記スイッチの１回目の入力から前記入力管理タイマーに設定された時間が経過するまでの間の前記スイッチの入力の１回につき一定の時間が追加され、
前記点灯制御部は、前記入力管理タイマーに設定された管理時間が経過した後であり、かつ、前記点灯タイマーに設定された点灯時間内の前記スイッチの入力により、前記ランプを消灯させるＸ線撮影装置。
【請求項４】
請求項１に記載のＸ線撮影装置において、
前記照明制御装置は、
前記入力回数管理部における前記スイッチの入力回数を管理する管理時間が設定される入力管理タイマーをさらに備え、
前記点灯タイマーに設定された点灯時間に、前記スイッチのｎ回目の入力からｎ+１回目の入力までの間が、前記入力管理タイマーに設定された管理時間内のときに、前記スイッチの入力の一回につき一定の時間が追加され、
前記点灯制御部は、前記入力管理タイマーに設定された管理時間が経過した後であり、かつ、前記点灯タイマーに設定された点灯時間内の前記スイッチの入力により前記ランプを消灯させるＸ線撮影装置。
【請求項５】
請求項１または請求項２に記載のＸ線撮影装置において、
前記スイッチは、前記ランプを点灯および消灯させる点灯開始スイッチと、前記ランプの点灯時間を設定する点灯時間設定スイッチと、であり、
前記点灯制御部は、前記点灯開始スイッチからの入力により前記入力受信部に入力された点灯信号を受信した後に、前記入力管理部において積算された前記点灯時間設定スイッチの入力回数に応じて前記点灯タイマーに設定された点灯時間の間、前記ランプを点灯させるＸ線撮影装置。
【請求項６】
請求項１から請求項５のいずれかに記載のＸ線撮影装置において、
前記点灯タイマーに設定される点灯時間および／または消灯までの時間を表示する表示部を備えるＸ線撮影装置。
【請求項７】
請求項１から請求項６のいずれかに記載のＸ線撮影装置において、
前記ランプは、前記Ｘ線管から前記被検体に向けて照射されるＸ線照射野を調整するコリメータ内に配設される照視野ランプであるＸ線撮影装置。
【発明の詳細な説明】
【技術分野】
【０００１】
この発明は、照明制御装置を備えたＸ線撮影装置に関する。
【背景技術】
【０００２】
Ｘ線撮影装置に配設される照明装置としては、例えば、コリメータ（可動絞り）に配設される照視野ランプがある。この照視野ランプは、コリメータを利用してＸ線管から被検体である患者に向けて照射されるＸ線照射野を調整するときに、Ｘ線照射野を視認できるようにするためのものであり、コリメータリーフに対し患者とは逆側に配設される。すなわち、照視野ランプは、コリメータリーフを移動させてＸ線照射野を調整するときに光照射野を形成させるために点灯される。
【０００３】
このようなＸ線撮影装置において、コリメータはＸ線管と一体的に移動可能に、Ｘ線管を収容するＸ線照射装置に付設されている。このため、照視野ランプを長時間点灯させると、照視野ランプからの発熱により装置の温度が上昇し、オペレータや患者が火傷をする危険がある。このような火傷の危険を回避する目的で、照視野ランプの点灯スイッチが押された場合に、一定時間だけ照視野ランプを点灯させる照明制御が行われている。例えば、特許文献１では、異なる照度でのランプの点灯を要求するボタンに対応して設けられたタイマーにより、光の照射時間を制限している。
【先行技術文献】
【特許文献】
【０００４】
【特許文献１】特開２００６−３１１９２９号公報
【発明の概要】
【発明が解決しようとする課題】
【０００５】
ところで、オペレータがコリメータを利用してＸ線照射野を調整するのに要する作業時間は、撮影しようとする部位などにより異なる。一方で、従来のような、タイマーに設定された一定時間だけ照視野ランプが点灯する構成では、オペレータが必要とする作業時間に応じて照視野ランプを点灯させておきたい時間を変更することが、容易に行えなかった。このため、照視野ランプの点灯時間が、オペレータが必要とする作業時間より長すぎる場合や短すぎる場合があった。
【０００６】
例えば、作業時間がタイマーに設定された時間より長い場合には、オペレータが作業を行っている途中で照視野ランプが一定時間を経過したことにより消灯した後に、再度スイッチを操作して点灯させていた。このように、オペレータは、Ｘ線照射野の調整などのＸ線撮影の準備作業を行っている途中でＸ線照射野の視認ができなくなったり、照視野ランプの再点灯などの操作を行わなければならなくなり、作業効率が低下するという問題が生じていた。
【０００７】
この発明は上記課題を解決するためになされたものであり、照明装置の点灯時間の変更を容易に行うことが可能な照明制御装置を備えたＸ線撮影装置を提供することを目的とする。
【課題を解決するための手段】
【０００８】
請求項１に記載の発明は、被検体に向けてＸ線を照射するＸ線管と、前記Ｘ線管から照射され前記被検体を通過したＸ線を検出するＸ線検出器と、スイッチの操作により点灯または消灯するランプを有し、前記ランプの点灯制御を行う照明制御装置と、を備えたＸ線撮影装置であって、前記照明制御装置は、前記スイッチからの入力を受け付ける入力受信部と、前記スイッチからの入力回数を管理する入力回数管理部と、前記入力回数管理部において積算された前記スイッチからの入力回数に応じて前記ランプの点灯時間が設定される点灯タイマーと、前記入力受信部または前記点灯タイマーからの信号に基づいて前記ランプの点灯および消灯を制御する点灯制御部と、を備えたことを特徴とする。
【０００９】
請求項２に記載の発明は、請求項１に記載の発明において、前記点灯タイマーに設定された点灯時間に、前記ランプの点灯中における前記スイッチからの入力の１回につき一定の時間が追加される。
【００１０】
請求項３に記載の発明は、請求項１に記載の発明において、前記照明制御装置は、前記入力回数管理部における前記スイッチからの入力回数を管理する管理時間が設定される入力管理タイマーをさらに備え、前記点灯タイマーに設定された点灯時間に、前記スイッチの１回目の入力から前記入力管理タイマーに設定された時間が経過するまでの間の前記スイッチからの入力の１回につき一定の時間が追加され、前記点灯制御部は、前記入力管理タイマーに設定された管理時間が経過した後であり、かつ、前記点灯タイマーに設定された点灯時間内の前記スイッチの操作により、前記ランプを消灯させる。
【００１１】
請求項４に記載の発明は、請求項１に記載の発明において、前記照明制御装置は、前記入力回数管理部における前記スイッチからの入力回数を管理する管理時間が設定される入力管理タイマーをさらに備え、前記点灯タイマーに設定された点灯時間に、前記スイッチからのｎ回目の入力からｎ+１回目の入力までの間が、前記入力管理タイマーに設定された管理時間内のときに、前記スイッチからの１回につき一定の時間が追加され、前記点灯制御部は、前記入力管理タイマーに設定された管理時間が経過した後であり、かつ、前記点灯タイマーに設定された点灯時間内の前記スイッチからの入力により前記ランプを消灯させる。
【００１２】
請求項５に記載の発明は、請求項１または請求項２に記載の発明において、前記スイッチは、前記ランプを点灯および消灯させる点灯開始スイッチと、前記ランプの点灯時間を設定する点灯時間設定スイッチと、であり、前記点灯制御部は、前記点灯開始スイッチからの入力により前記入力受信部に入力された点灯信号を受信した後に、前記入力管理部において積算された前記点灯時間設定スイッチの入力回数に応じて前記点灯タイマーに設定された点灯時間の間、前記ランプを点灯させる。
【００１３】
請求項６に記載の発明は、請求項１から請求項５のいずれかに記載の発明において、前記点灯タイマーに設定される点灯時間および／または消灯までの時間を表示する表示部を備える。
【００１４】
請求項７に記載の発明は、請求項１から請求項６のいずれかに記載の発明において、前記ランプは、前記Ｘ線管から前記被検体に向けて照射されるＸ線照射野を調整するコリメータ内に配設される照視野ランプである。
【発明の効果】
【００１５】
請求項１および請求項２に記載の発明によれば、スイッチからの入力回数を管理する入力回数管理部と、入力回数管理部において積算されたスイッチからの入力回数に応じてランプの点灯時間が設定される点灯タイマーとを備えることにより、ランプの点灯時間を容易に変更することが可能となる。
【００１６】
請求項３および請求項４に記載の発明によれば、入力回数管理部においてスイッチからの入力回数を管理する管理時間が設定される入力管理タイマーを備えることにより、ランプの点灯時間を容易に設定することが可能となる。また、１のスイッチの機能を入力管理タイマーで管理されている時間とそれ以外とで切り換えることができる。
【００１７】
請求項５に記載の発明によれば、点灯開始スイッチと点灯時間設定スイッチとを備え、ランプの点灯・消灯と、点灯時間の設定とを別々のスイッチからの入力信号により行うため、ランプの点灯・消灯と、ランプの点灯時間の変更とを容易に行うことが可能となる。
【００１８】
請求項６に記載の発明によれば、表示部に設定されたランプの点灯時間や消灯までの時間を表示することから、オペレータは、作業の途中で、点灯時間が作業終了までの適切な時間であるかを知ることができ、必要に応じて点灯時間の延長・短縮を容易に行うことが可能となる。
【００１９】
請求項７に記載の発明によれば、コリメータの照視野ランプの点灯時間を容易に変更ことが可能となる。
【図面の簡単な説明】
【００２０】
【図１】この発明に係るＸ線撮影装置の概要図である。
【図２】Ｘ線照射部３等の要部を示す概要図である。
【図３】この発明の第１実施形態に係る照明制御装置として機能する主要な構成を示すブロック図である。
【図４】この発明の第２実施形態に係る照明制御装置として機能する主要な構成を示すブロック図である。
【図５】この発明の第３実施形態に係る照明制御装置として機能する主要な構成を示すブロック図である。
【発明を実施するための形態】
【００２１】
以下、この発明の実施の形態を図面に基づいて説明する。図１は、この発明に係るＸ線撮影装置の概要図である。
【００２２】
このＸ線撮影装置は、被検体である患者１を載置するテーブル２と、患者１に向けてＸ線を照射するＸ線管７を備えたＸ線照射部３と、Ｘ線検出部としてのフラットパネルディテクタ４と、コリメータ８とを備える。Ｘ線管７から照射されたＸ線は、患者１を透過してフラットパネルディテクタ４に入射する。フラットパネルディテクタ４は、入射したＸ線に対応した画像信号を出力する。
【００２３】
コリメータ８は、複数のコリメータリーフ６を備える。Ｘ線撮影を行うときには、照視野ランプ２４を点灯した状態で、図示しない駆動モータの駆動によりコリメータリーフ６を各々移動させ、Ｘ線の曝射範囲を設定する。そして、照視野ランプ２４を消灯させた後、この状態でＸ線管７からＸ線を照射することにより、複数のコリメータリーフ６により規定された曝射範囲にのみＸ線が照射される。
【００２４】
図２は、この発明に係るＸ線撮影装置におけるＸ線照射部３等の要部を示す概要図である。
【００２５】
このＸ線照射部３は、複数種の付加フィルターが配設された回転板１１と、この回転板１１を回転させるモータ１２とを備えた付加フィルター移動機構を有する。また、コリメータ８は、コリメータリーフ６に対し患者１とは逆側に配設され、コリメータリーフ６により調整されたＸ線照射野を視認するための光照射野を形成する、照視野ランプ２４およびミラー２５を備える。この照視野ランプ２４から照射された光は、ミラー２５により反射され、複数のコリメータリーフ６によりその照射領域を制限された後に、患者１に照射される。このとき、Ｘ線管７からミラー２５を透過して患者１に照射されるＸ線と、照視野ランプ２４からミラー２５で反射されて患者１に照射される光とは、その光軸が一致しており、また、その焦点も一致している。このため、コリメータ８により形成されるＸ線照射野と光照射野は一致する。
【００２６】
照視野ランプ２４と、回転板１１を回転させるモータ１２とは、制御部４１に連結されている。この制御部４１は、ＲＡＭ、ＲＯＭ等の記憶装置およびＣＰＵ等の演算装置を備え、照視野ランプ２４の点灯状態を制御する。また、この制御部４１は、回転板１１を回転させるモータ１２を制御して、回転板１１を回転させる。この制御部４１には、オペレータが照視野ランプ２４の点灯および消灯のために操作するスイッチ等が配設された入力部４２と、各種の情報を表示するための表示部４３とが接続されている。
【００２７】
図３は、この発明の第１実施形態に係る照明制御装置として機能する主要な構成を示すブロック図である。
【００２８】
制御部４１は、照視野ランプ２４の点灯および消灯のための押しボタン式のスイッチ４４からの入力を受信する入力受信部５１と、スイッチが操作された回数を管理する入力管理部５２と、照視野ランプ２４の点灯時間が設定される点灯タイマー５４と、照視野ランプ２４の点灯および消灯を制御する点灯制御部５３とを備える。スイッチ４４と、入力受信部５１と、点灯タイマー５４と、点灯制御部５３は、この実施形態の照明制御装置を構成する。
【００２９】
以上のような構成を有するＸ線撮影装置により光照射野を利用してＸ線照射野を確認するためには、まず、オペレータはスイッチ４４を操作して照視野ランプ２４を点灯させる。このとき、スイッチ４４からの入力は入力受信部５１を介して入力回数管理部５２および点灯制御部５３に伝達される。なお、照視野ランプ２４が消灯している状態での、１回目のスイッチ４４からの入力が、照視野ランプ２４を点灯させる入力となる。
【００３０】
点灯タイマー５４には、照視野ランプ２４が消灯している状態での、１回目のスイッチ４４からの入力により、予め決めておいた１回目のスイッチ操作により照視野ランプ２４を点灯できる所定の時間（例えば、１０秒）が設定される。また、入力回数管理部５２では、オペレータがスイッチを押した回数、すなわち１回目のスイッチ４４からの入力も含めて入力回数が積算される。
【００３１】
照視野ランプ２４が点灯すると、点灯タイマー５４では、設定された点灯時間を１秒単位で減少させるカウントダウンが開始される。ここで、点灯タイマー５４における点灯時間がゼロになる前に、オペレータによりスイッチ４４が再度操作されると、その入力は、入力回数管理部５２により入力回数として積算されるとともに、入力回数が１回増えるごとに、予め決めておいた一定の時間がさらに点灯時間として加えられる。例えば、所定の時間および一定の時間が各１０秒で、オペレータが、照視野ランプ２４が消灯している状態でスイッチ４４を操作してから、点灯タイマー５４においてカウントダウンされる点灯時間がゼロになるまでの間のスイッチ４４からの入力回数が３回であった場合には、１０秒（所定の時間）＋１０秒（一定の時間）＋１０秒（一定の時間）＝３０秒が、照視野ランプ２４の連続した点灯時間となる。すなわち、この実施形態において、スイッチ４４は、照視野ランプ２４を点灯させるためのスイッチ、および、照視野ランプ２４の点灯時間を設定するためのスイッチとして機能する。
【００３２】
点灯制御部５３は、点灯タイマー５４における点灯時間のカウントダウンの状況を定期的（例えば、０．５秒毎）に参照し、残り点灯時間（消灯までの時間）がゼロにならない限り、照視野ランプ２４を点灯させておく。
【００３３】
しかる後、点灯タイマー５４における点灯時間がゼロになると、点灯制御部５３により、照視野ランプ２４が消灯されるとともに、入力回数管理部５２において積算されているスイッチ４４からの入力回数がリセットされる。なお、照視野ランプ２４の点灯中における残り点灯時間は、必要に応じて表示部４３に表示される。
【００３４】
以上のような構成を有する照明制御装置を備えたＸ線撮影装置においては、Ｘ線撮影を実行する前に、光照射野を利用してＸ線照射野を確認する際に、照視野ランプ２４の点灯時間の延長を容易に行うことができることから、作業の途中で照視野ランプ２４が消灯して、Ｘ線照射野が一時的に視認できなくなる状態となることを防止することができる。
【００３５】
図４は、この発明の第２実施形態に係る照明制御装置として機能する主要な構成を示すブロック図である。
【００３６】
この実施形態においては、上述した第１実施形態と、制御部４１において入力管理タイマー５５をさらに備える点において異なる。すなわち、この実施形態では照明制御装置の構成として入力管理タイマー５５をさらに備える。なお、第１実施形態と同様の構成は、同一の符号を付して、詳細な説明は省略する。
【００３７】
入力管理タイマー５５には、オペレータがスイッチ４４を操作することにより入力受信部５１が受信する入力のうち、入力回数管理部５２が入力回数として管理する時間（例えば、５秒）が設定される。すなわち、入力回数管理部５２は、照視野ランプ２４が消灯している状態でのスイッチ４４からの入力を１回目の入力として、その後、入力管理タイマー５５に設定された５秒間の間のスイッチ４４からの入力回数を積算する。
【００３８】
点灯タイマー５２においては、入力管理タイマー５５に設定された時間が経過するまでの間、入力回数管理部５２において積算して管理するスイッチ４４からの入力が１回増えるごとに、所定の時間に一定の時間が追加される。点灯制御部５３は、点灯タイマー５４の点灯時間の残り時間がゼロにならない限り、照視野ランプ２４を連続して点灯させる。すなわち、５秒間の間のスイッチ４４からの入力が計４回であった場合には１０秒（所定の時間）＋１０秒（一定の時間）＋１０秒（一定の時間）＋１０秒（一定の時間）＝４０秒が、照視野ランプ２４の連続した点灯時間となる。このように、この実施形態では、照視野ランプ２４の連続した点灯時間を、オペレータが予想したＸ線照射野の調整にかかる作業時間に合わせて容易に設定することができる。
【００３９】
この実施形態においては、照視野ランプ２４が消灯している状態で、点灯タイマー５４の時間がゼロであるときのスイッチ４４からの入力は、点灯制御部５３により照視野ランプ２４を点灯させる入力となり、照視野ランプ２４が点灯された後、入力管理タイマー５５に設定された時間が経過する前であり、かつ、点灯タイマー５４の時間がゼロでないときのスイッチ４４からの入力は、点灯タイマー５４に設定される照視野ランプ２４の点灯時間を一定の時間ずつ長くするための入力となる。また、入力管理タイマー５５に設定された時間が経過した後であり、かつ、点灯タイマー５４の時間がゼロでないときのスイッチ４４からの入力は、点灯タイマー５４の残り時間をリセットしてゼロとすることにより、点灯制御部５３により照視野ランプ２４を消灯させるための入力となる。すなわち、この実施形態において、スイッチ４４は、照視野ランプ２４を点灯させるためのスイッチ、照視野ランプ２４の点灯時間を変更・設定するためのスイッチ、ならびに、照視野ランプ２４を消灯させるためのスイッチとして機能する。
【００４０】
以上のように、この実施形態に係る照明制御装置を備えたＸ線撮影装置においては、入力管理タイマー５５に設定された時間内のスイッチ４４からの入力により、照視野ランプ２４の点灯時間を、オペレータが点灯させたい長さの時間に設定することができる。さらに、設定した時間よりも早くＸ線照射野の調整作業が終わったときには、点灯タイマー５４の残り点灯時間がゼロになる前であっても、スイッチ４４を操作することにより照視野ランプ２４を消灯させ、Ｘ線撮影を行うことも可能である。このように、照視野ランプ２４の点灯時間の変更が容易に行えるため、オペレータの作業効率を向上させることができる。
【００４１】
なお、この実施形態の変形例として、点灯タイマー５４に設定される照視野ランプ２４の点灯時間を、入力管理タイマー５５に設定された時間内に入力回数管理部５２が積算したスイッチ４４からの入力回数に一定の時間を乗じた時間としてもよい。また、制御部４１が備える記憶装置（図示せず）にスイッチ４４からの入力回数とそれに対応する点灯時間を記述したテーブル（例えば、入力回数が１回のときには点灯時間は１０秒、入力回数が２回のときには点灯時間は３０秒、入力回数が３回のときには点灯時間は４０秒などの内容を記述した対応表）を記憶させておき、入力管理タイマー５５に設定された時間内に入力回数管理部５２が積算したスイッチ４４からの入力回数に対応する点灯時間を、テーブルから点灯タイマー５４に読み込ませることで点灯時間を設定するようにしてもよい。点灯タイマー５４への点灯時間の設定について、このような変形を行う場合には、入力管理タイマー５５に設定された時間が経過したときに、点灯制御部５３により照視野ランプ２４を点灯させ、点灯タイマー５４における点灯時間のカウントダウンを開始するようにする。
【００４２】
また、上述した実施形態では、入力回数管理部５２は、１回目のスイッチ４４からの入力から、入力管理タイマー５５に設定された時間内のスイッチ４４からの入力を積算して管理するようにしているが、例えば、入力管理タイマー５５に設定された時間が５秒のとき、１回目の入力から２日目の入力までが５秒以内、２回目の入力から３回目の入力までが５秒以内、のように、ｎ回目の入力からｎ＋１回目までの入力が入力管理タイマー５５に設定された時間であれば、入力回数管理部５２がスイッチ４４からの入力を管理し、点灯時間を一定の時間ずつ長くするようにしてもよい。
【００４３】
図５は、この発明の第３実施形態に係る照明制御装置として機能する主要な構成を示すブロック図である。
【００４４】
この実施形態においては、上述した第１実施形態に係る照明制御装置として機能する構成のうち、入力部４２に配設されるスイッチ４４に替えて、照視野ランプ２４の点灯時間だけを設定するためのスイッチ４５（点灯時間設定スイッチ）と、照視野ランプ２４の点灯および消灯のための入力のみを行うスイッチ４６（点灯開始スイッチ）とを入力部４２に備える。なお、上述した実施形態と同一の構成については、同一の符号を付し、詳細な説明は省略する。
【００４５】
この実施形態では、照視野ランプ２４を点灯させてＸ線照射野を視認しようとするときに、オペレータは、照視野ランプ２４が消灯している状態で、押しボタン式のスイッチ４５を押して点灯タイマー５４に照視野ランプ２４の点灯時間を設定する。スイッチ４５からの入力は、入力受信部５１を介して入力回数管理部５２に伝達され、入力回数管理部５２では、オペレータがスイッチ４５を押した回数、すなわち入力回数が積算される。
【００４６】
点灯タイマー５４においては、入力回数管理部５２において積算しているスイッチ４４の入力回数が１回増えるごとに、所定の時間に一定の時間を追加して、点灯時間が設定される。しかる後、オペレータが押しボタン式のスイッチ４６を押すと、その入力は入力受信部５１を介して点灯制御部５３に伝達され、照視野ランプ２４が点灯されるとともに、点灯タイマー５４における点灯時間のカウントダウンが開始される。点灯制御部５３は、点灯タイマー５４の残り時間がゼロとならない限り、照視野ランプ２４を連続して点灯させる。
【００４７】
なお、点灯タイマー５４における点灯時間の設定においては、スイッチ４６の入力があるまでに、入力回数管理部５２が積算したスイッチ４５の入力回数に一定の時間を乗じた時間を点灯時間として設定してもよく、また、制御部４１に内装された記憶装置に記憶させておいたスイッチ４５の入力回数とそれに対応する点灯時間を記述したテーブルを参照して、入力回数管理部５２が積算したスイッチ４５の入力回数に対応する点灯時間を設定してもよい。
【００４８】
点灯タイマー５４の時間がゼロになる前に、オペレータがスイッチ４５を操作した場合には、点灯タイマー５４の点灯時間の残り時間に一定の時間が追加され、照視野ランプ２４の連続した点灯時間が延長される。また、点灯タイマー５４の時間がゼロになる前にオペレータがスイッチ４６を操作した場合には、点灯タイマー５４の点灯時間の残り時間がリセットされゼロとなり、点灯制御部５３は、照視野ランプ２４を消灯させる。このとき、入力回数管理部５２において積算された入力回数もリセットされる。
【００４９】
以上のように、この実施形態に係る照明制御装置を備えたＸ線撮影装置においては、照視野ランプ２４が消灯している状態で、かつ、オペレータがスイッチ４６を操作する前に、オペレータが予想したＸ線照射野の調整にかかる作業時間に合わせてスイッチ４５を操作することにより、照視野ランプ２４を、予めオペレータが点灯させておきたい時間に設定することができる。また、照視野ランプ２４が点灯している状態では、スイッチ４６は、照視野ランプ２４を点灯タイマー５４の時間が１秒単位でカウントダウンされてゼロとなる前に、点灯タイマー５４の残り時間をリセットして強制的に照視野ランプ２４を消灯させるスイッチとしても機能することから、設定した時間よりも早くＸ線照射野の調整作業が終わったときには、オペレータはスイッチ４６を操作して照視野ランプ２４を消灯し、Ｘ線撮影を行うことができる。このため、オペレータの作業効率を向上させることができる。
【００５０】
なお、上述した第１〜第３実施形態における照明制御装置は、部品としてのコリメータの制御装置の一部として構成してもよい。また、上述した第１〜第３実施形態における照明制御装置は、Ｘ線撮影装置のコリメータの照視野ランプの点灯制御を行うものに限定されるものではない。例えば、特開２００２−２３３５２１号公報に記載されたような回診用Ｘ線装置の、装置の進行方向を照明する照明灯の点灯制御にも利用することが可能である。さらに、上述した照明制御装置は、Ｘ線撮影装置に備えられる照明装置への適用に限定されるものではなく、スイッチの操作により点灯および消灯が行われ、タイマーにより点灯時間が設定される照明装置に適用することが可能である。
【符号の説明】
【００５１】
１      患者
２      テーブル
３      Ｘ線照射部
４      フラットパネルディテクタ
６      コリメータリーフ
７      Ｘ線管
８      コリメータ
１１      回転板
１２      モータ
２４      照視野ランプ
２５      ミラー
４１      制御部
４２      入力部
４３      表示部
４４      スイッチ
４５      スイッチ
４６      スイッチ
５１      入力受信部
５２      入力回数管理部
５３      点灯制御部
５４      点灯タイマー
５５      入力管理タイマー
【図１】
0005835026.tif 000002
【図２】
0005835026.tif 000003
【図３】
0005835026.tif 000004
【図４】
0005835026.tif 000005
【図５】
0005835026.tif 000006